(57)【特許請求の範囲】
【請求項１】
上下階に繋がる階段を有し、かつ、前記階段の途中部分に踊場を有する折返し状の階段部と、
前記階段部とは別に屋外に設けられ、各々の階と避難階とを繋ぐ屋外避難階段と、
平面視で、前記階段の昇降方向に直交する方向において、吹抜け部を介して前記階段部と隣り合い、かつ、前記階段部と空間的に連続状態に隣接する通路部と、
前記階段部に対して前記通路部とは反対側において前記階段部と隣接する居室部と、
火災時に前記階段部及び前記通路部を囲んだ状態でその周囲の空間から隔離する防火遮断部と、
火災時に前記防火遮断部の内部空間を対象にして、前記吹抜け部の下方から新鮮空気を供給し、その周囲の空間より圧力が高くなるように加圧する加圧機構と、を設け、
前記階段部は、平面視で前記昇降方向が前記防火遮断部のうちの前記階段部と前記居室部との間に位置する箇所に沿うように、設けられ、
前記防火遮断部のうちの前記階段部と前記居室部との間に位置する箇所に、透視可能な透視部が設けてある建築物。
【請求項２】
前記階段部は、一階層に複数の前記踊場を備えている請求項１に記載の建築物。
【発明の詳細な説明】
【技術分野】
【０００１】
本発明は、建物内に上下階に繋がる階段を有する階段部と、火災時に階段部を囲んだ状態でその周囲の空間から隔離する防火遮断部とを設けてある建築物に関する。
【背景技術】
【０００２】
従来、この種の建築物としては、建物内に、居室部や通路部の他に、避難階段が設けられたものがあり、この避難階段は、上下階に繋がる階段本体と、階段本体の上端部と下端部とにそれぞれ接続された階段室スラブと、を有する階段部で構成され、この階段部の外周部には、防火壁や防火戸で構成される防火遮断部が、全周にわたって設けられているものがあった（例えば、特許文献１参照）。
【先行技術文献】
【特許文献】
【０００３】
【特許文献１】特開２０１１−１７４３７０号公報（図６）
【発明の概要】
【発明が解決しようとする課題】
【０００４】
上述した従来の建築物によれば、階段部は、その全周が防火遮断部によって囲まれているから、閉鎖的な環境になり易い。防火遮断部の一部にガラス等を用いて、周囲を見通せるようにすることも考えられるが、その場合でも、階段部そのものは、防火遮断部によって囲まれていることには変わりがない。
よって、階段部は、隣接する通路部とは独立した関係にあり、主に上下階に移動するだけの用途として使用されているにすぎなかった。
【０００５】
従って、本発明の目的は、上記問題点を解消し、階段部を有効活用して、建物内のコミュニケーションの増進を図れる建築物を提供するところにある。
【課題を解決するための手段】
【０００６】
本発明の特徴は、上下階に繋がる階段を有し、かつ、前記階段の途中部分に踊場を有する折返し状の階段部と、前記階段部とは別に屋外に設けられ、各々の階と避難階とを繋ぐ屋外避難階段と、平面視で、前記階段の昇降方向に直交する方向において、吹抜け部を介して前記階段部と隣り合い、かつ、前記階段部と空間的に連続状態に隣接する通路部と、前記階段部に対して前記通路部とは反対側において前記階段部と隣接する居室部と、火災時に前記階段部及び前記通路部を囲んだ状態でその周囲の空間から隔離する防火遮断部と、火災時に前記防火遮断部の内部空間を対象にして、前記吹抜け部の下方から新鮮空気を供給し、その周囲の空間より圧力が高くなるように加圧する加圧機構と、を設け、前記階段部は、平面視で前記昇降方向が前記防火遮断部のうちの前記階段部と前記居室部との間に位置する箇所に沿うように、設けられ、前記防火遮断部のうちの前記階段部と前記居室部との間に位置する箇所に、透視可能な透視部が設けてあるところにある。
【０００７】
本発明によれば、階段部と通路部とを、防火遮断部で囲むから、従来のように、階段部のみが閉鎖状態に区画されるのに比べて、階段部の周囲を含めた平面的な広がりを期待できるようになる。
階段部の周囲を含めた平面的な広がりは、もともと階段部が備えている上下階層相互の広がりと合わさることで、３次元的な空間の広がりとなり、階段部を含めた周囲部を開放的な環境にすることができる。
従って、そこを移動する人同士の交流も、階段部を含めた周囲部の開放的な環境下で活発に実施でき、建築物内でのコミュニケーションの増進を図れるようになる。
【０００８】
また、従来より広くなった防火遮断部の内部空間は、加圧機構によって加圧されることで、周囲の空間より圧力が高くなり、例えば、防火遮断部の周囲の居室部において火災が発生しても、その煙や炎が防火遮断部の内部空間に進入するのを防止することができる。
従って、階段部を火災時の避難階段として使用することが可能となる。
【０００９】
【００１０】
また、本構成によれば、透視部を通して、防火遮断部内部からその外部を見ることができ、視界が広がることで、防火遮断部内部を広く感じさせることができると共に、より閉鎖性を低減させることができる。
また、居室部において火災が発生した場合、その火炎の状況や煙の状況を、透視部を通して防火遮断部の内側で確認することができる。従って、階段部を避難する際に、正確な火災状況を把握した状態で行動することができる。
【００１１】
【００１２】
また、本構成によれば、同一階における階段部と通路部間の見通しに加えて、異なる階層間においても、見通しスペースを通して見通すことが可能となり、そこに居る人たちどうしが互いの存在を認識でき、コミュニケーションをとり易くなる。
従って、例えば、通路部に居る人が、その階の階段部を移動する人や、上下に隣接する階の階段部や通路部を移動する人の姿を見て、気軽に話しかけることが可能となる。
【００１３】
またこれと同じことは、階段部に居る人が、その階の通路部を移動する人や、上下に隣接する階の通路部を移動する人の姿を見た場合も同様である。
その結果、階段部を中心として、同一階のみならず、隣接階にわたってもコミュニケーションの場を広げることができる。
【００１４】
本発明においては、前記階段部は、一階層に複数の前記踊場を備えていると好適である。
【００１５】
本構成によれば、隣接階のスラブ間に、複数の踊場が備えられるから、例えば、その踊場に立ち止まって同一階や上階の通路部の人とコミュニケーションをとることができる。
その際、踊場と通路部との高低差は、階高に比べて小さくなるから、踊場と通路部とを挟んだ人同士の目線が水平に近づき、コミュニケーションをより図り易くなる。
【図面の簡単な説明】
【００１６】
【図１】建築物の平面図である。
【図２】図１中のII−IIを切断面とした断面図である。
【図３】階段部の周囲を示す立面断面図である。
【図４】階段部の周囲を示す立面断面図である。
【図５】制御機構に関連したブロック図である。
【図６】別実施形態の平面図である。
【図７】別実施形態の平面図である。
【発明を実施するための形態】
【００１７】
以下に本発明の実施の形態を図面に基づいて説明する。
【００１８】
図１、図２は、本発明の建築物の一実施形態を示すもので、この建築物は、多数の階層を備え、各階層は、コア部１と、コア部１に隣接する、例えば、事務所や会議室等の居室部２と、居室部２に隣接する屋外避難階段３とを備えて構成されている。この屋外避難階段３は、建築基準法上の「屋外避難階段」としての性能を満たすものであり、何れの階からでも一階へ避難することができるように構成されている。
また、地下部分は、免震層４として構成されている（図２参照）。
【００１９】
尚、建築物の構造は、例えば、鉄筋コンクリート造、鉄骨造、鉄骨鉄筋コンクリート造、又は、それらの組み合わせ等、適宜選択が可能であり、特に限定されるものではない。
また、当該実施形態においては、主要構造部は、耐火構造として構成してあるが、区画を主に説明するために、柱や梁等の構造部材の表示や説明は省略している。
【００２０】
コア部１には、エレベータシャフト５や、トイレや洗面所やパイプスペース等を備えたサニタリー部６や、上下階に繋がる階段７ａを有する階段部７や、居室部２とエレベータシャフト５とサニタリー部６と階段部７とのそれぞれに空間的に連続状態に隣接する通路部８を備えている。
【００２１】
また、階段部７と通路部８とは、それらを囲む状態に防火遮断部Ｓが設けてあり、火災時に防火区画を形成でき（図１、図２中の着色部）、避難に使用できるように構成されている。
また、階段部７と通路部との間には、床部分を切り欠いた吹抜け部（見通しスペースの一例）Ｆが設けてあり、上下に連続する階段部７と、この吹抜け部Ｆとによって、防火遮断部Ｓ内の空間は、上下階にわたって連通した空間となっている（図２参照）。
【００２２】
居室部２には、通路部８との境界部に出入口Ｄ１が設けてあり、この出入口Ｄ１は、揺動操作によって開閉自在な金属製防火戸９を設けて構成してある。防火戸９は、非火災時には開状態に、火災時には閉状態にそれぞれ駆動自在に構成してある。
【００２３】
また、居室部２における階段部７との境界部は、耐火壁ガラス（透視部の一例）１０で区画してある。従って、この耐火壁ガラス１０を通して、居室部２と階段部７とは相互に透視可能となっている。
【００２４】
また、居室部２におけるサニタリー部６との境界部の一部にも、出入口Ｄ２が設けてあり、出入口Ｄ１と同様の形態で、防火戸１１が設けてある。
【００２５】
屋外避難階段３は、外気に開放された安全区画として構成してあり、屋外バルコニーや階段を備えている。
火災時の避難には、この屋外避難階段３を使用することができる。
【００２６】
免震層４は、図には示さないが、複数の免震装置を備え、基礎部分に対して、地上部を水平移動可能に支持している。
尚、当該実施形態においては、この免震層４内に、防火遮断部Ｓの内部空間を対象にして、その周囲の空間より圧力が高くなるように加圧する送風装置等の加圧機構Ｐが設置されている（図２参照）。
【００２７】
次に、防火遮断部Ｓによって囲まれた階段部７と通路部８とについて説明する。
階段部７と通路部８とは、互いの空間が遮断されることなく連続した空間を有しているため、互いに行き来する人同士の交流を図り易い環境となっている。便宜上、階段部７と通路部８とを合わせて、コミュニケーション部Ｋという。
【００２８】
防火遮断部Ｓは、建築基準法上の「特定防火設備」としての防火性能を満たすように構成されており、火災時にコミュニケーション部Ｋの全周を囲んだ状態でその周囲の空間から隔離することができるように形成されている。
具体的には、防火遮断部Ｓは、前述の防火戸９や、耐火壁ガラス１０や、サニタリー部６との境界部の出入口Ｄ３に設置された防火戸１２や、エレベータシャフト５との境界部の防火扉１３や、その他の部分の防火壁１４によって構成されている（図１参照）。
尚、防火遮断部Ｓの構成は、上述のものに限るものではなく、例えば、防火シャッターや、他の「特定防火設備」で構成するものであってもよい。
【００２９】
縦方向に連通するコミュニケーション部Ｋの上端部は、塔屋となっており、この部分に、コミュニケーション部Ｋから外部に空気を排出する排出機構Ｈが設けてある。
尚、排出機構Ｈを設けない形態を採用することも可能である。
【００３０】
また、当該建築物の内部には、多数の火災センサーＧを分散させて設置してあり、それぞれが火災を検知できるように構成されている。各火災センサーＧは、図５に示すように、火災検知信号を、制御機構１００に送信するように構成されている。
【００３１】
制御機構１００は、火災検知信号を受信すると、対応する防火戸９，１１，１２、防火扉１３に対して閉駆動指令を発信し、防火遮断部Ｓ内を周囲の空間から隔離できるように構成されている。
【００３２】
また、制御機構１００には、加圧機構Ｐ、及び、排出機構Ｈも、運転制御自在に接続されている。
従って、火災時には、制御機構１００によって、出入口Ｄ１，Ｄ２，Ｄ３を閉駆動すると共に、加圧機構Ｐと排出機構Ｈとを運転制御し、コミュニケーション部Ｋ内を、周囲空間より加圧状態にして、炎や煙が進入しない加圧防煙環境を構築することができる（図５参照）。
【００３３】
尚、加圧機構Ｐによってコミュニケーション部Ｋ内に供給される空気は、外環境から免震層４に取り入れられた空気であり、火災の影響を受け難い新鮮空気であるから、コミュニケーション部Ｋを避難階段として使用するには好適である。
【００３４】
制御機構１００による加圧機構Ｐと排出機構Ｈとの制御においては、例えば、居室部２からコミュニケーション部Ｋに避難するために防火戸９を手で開けられる程度の低圧加圧状態を維持できるように制御することが可能である。
【００３５】
また、火災発生から、加圧機構Ｐや排出機構Ｈの作動のタイミングは、全て、制御機構１００によって自動で実行するオート操作や、人力で開始命令を制御機構１００に発信するマニュアル操作の何れも採用することができる。
【００３６】
尚、当該建築物においては、不図示の排煙設備が設けてあり、火災により生じた煙を、建築物外へ排出できるように構成されていることは勿論である。
【００３７】
階段部７は、一階層に二つの踊場７ｂを備えて構成してある。
つまり、階段部７は、図２〜４に示すように、一階層に、三つの階段７ａと、それらの間に各別に設けられた二つの踊場７ｂとを設けて、側面視ジグザグ形状に構成されている（図４参照）。
【００３８】
踊場７ｂは、隣接階に移動する際に、立ち止まり易いスペースとなるから、図３、図４に示すように、踊場７ｂに立ち止まった状態で、上下階のフロアに立っている人と容易にコミュニケーションを図ることができる。
当該実施形態においては、踊場７ｂの高さ位置は、階高を略三等分した位置となる。従って、コミュニケーションを図る人同士の視線に大きな角度がつかない状態で、容易にコミュニケーションを図ることができる。
【００３９】
また、階段部７と通路部８との間には、平面視において踊場７ｂを囲む状態で「Ｌ」字形状の吹抜け部Ｆを設けてあるから（図１参照）、踊場７ｂと上下階のフロアとにそれぞれ立つ人同士の間に、適度な水平距離を保持でき、視線の仰角をより減少させて、自然な状態で視線を交わしながらコミュニケーションを図ることができる。
【００４０】
更には、吹抜け部Ｆを通して、人の視線を上下階にまで注ぐことができるようになる。
例えば、通路部８から、踊場７ｂや、階段部７の向こう側の居室部２へ視線を向けたり、踊場７ｂから、居室部２や、上下階の通路部８へ視線を向けたり、居室部２から、踊場７ｂや、向こう側の通路部８へ視線を向けることを容易に実施でき、その結果、視界が拡がり、コミュニケーションの範囲を、水平方向にも鉛直方向にも拡張して、より活発な交流を図ることができるようになる。
【００４１】
以上のように、当該実施形態の建築物によれば、防火遮断部Ｓ内の加圧防煙によって階段部７を火災時の避難階段として使用できながら、通常の使用時には、階段部７を含めた周囲のコミュニケーション部Ｋに、３次元的な空間の広がりが期待でき、建築物内でのコミュニケーションの増進を図れるようになる。因みに、コミュニケーション部Ｋの外側から階段部７への進入は、何れの階においても実施できるから、階段部７を使用した避難も、何れの階からでも一階を含む避難階まで自由に行うことができる。
【００４２】
また、耐火壁ガラス１０を通して、防火遮断部Ｓ内部と外部との見通しをよくし、視界の拡張を図れるから、防火遮断部Ｓ内部を広く感じさせることができると共に、より閉鎖性を低減させることができる。更に、居室部２において火災が発生した場合、その火炎の状況や煙の状況を、耐火壁ガラス１０を通して防火遮断部Ｓの内側で確認することができるから、階段部７を避難する際に、正確な火災状況を把握した状態で行動することができる。
【００４３】
〔別実施形態〕
以下に他の実施の形態を説明する。
【００４４】
〈１〉  建築物は、先の実施形態で説明した平面構成に限るものではなく、居室部２と階段部７と通路部８との配置は、適宜、変更することが可能である。
例えば、図６に示すように、居室部２が、階段部７と通路部８とからなるコミュニケーション部Ｋの三方に接する状態の平面構成であったり、図７に示すように、居室部２が、コミュニケーション部Ｋの四方を囲む状態の平面構成であってもよい。
要するに、居室部２は、階段部７及び通路部８の両方または何れか一方と隣接するように構成してあればよく、それらを含めて居室部２と総称する。
【００４５】
〈２〉  透視部１０は、先の実施形態で説明したように、耐火遮断部Ｓの内の居室部２に面する箇所の一部を耐火壁ガラスで構成するものに限るものではなく、例えば、耐火遮断部Ｓの内の居室部２に面する全域を、耐火遮断性能を備えた透視部材で形成することで透視部１０を構成してもよい。
要するに、耐火遮断部Ｓの内、少なくとも居室部２に面する箇所に、遮断空間の内外方向に透視可能に構成してあればよく、それらを含めて透視部１０と総称する。
【００４６】
〈３〉  見通しスペースＦは、先の実施形態で説明した吹抜け部に限るものではなく、例えば、上述の吹抜け部を上下に遮蔽する状態に透明板を設置してあってもよく、この場合は、見通しスペースＦによる見通し効果を発揮できながら、吹抜け部における落下物を、前記透明板で受け止めることが可能となる。
要するに、階段部７と通路部８との間にあって、隣接階を見通し可能に構成してあればよく、それらを含めて見通しスペースＦと総称する。
【００４７】
また、見通しスペースＦの配置は、先の実施形態で説明した平面形状「Ｌ」字形状に限るものではなく、例えば、図６に示すように、階段部７の周囲の三方に接する「コ」字形状であったり、図７に示すように、階段部７の一方に接する一文字形状であってもよい。
【００４８】
〈４〉  階段部７は、先の実施形態で説明した階段７ａの途中に踊場７ｂを備えたものに限るものではなく、例えば、上下隣接階の途中に踊場７ｂを備えないものであってもよい。
また、踊場７ｂを途中に備える場合でも、一つの踊場７ｂを備えるものであってもよい。但し、好ましくは、スラブ間に二つ以上の踊場７ｂを備えることで、踊場７ｂ相互の落差が小さくなって、コミュニケーションを図る際の視線の傾きを緩やかにすることができ、周囲を含めたコミュニケーションの促進効果が向上する。
【００４９】
また、階段部７は、先の実施形態で説明したように、全階層にわたって連続状態に設けられているものに限らず、例えば、全階層の内の一部の階層にわたって設けてあってもよい。また、必ずしも、一階まで連続していないものであってもよい。
【００５０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５１】
当該建築物の発明は、エレベータを備えない建築物にも利用することができる。
【符号の説明】
【００５２】
２      居室部
７      階段部
７ａ    階段
７ｂ    踊場
８      通路部
１０    耐火壁ガラス（透視部の一例）
Ｆ      吹抜け部（見通しスペースの一例）
Ｐ      加圧機構
Ｓ      防火遮断部
【図１】
0006650672.tif 000002
【図２】
0006650672.tif 000003
【図３】
0006650672.tif 000004
【図４】
0006650672.tif 000005
【図５】
0006650672.tif 000006
【図６】
0006650672.tif 000007
【図７】
0006650672.tif 000008